(57)【要約】      （修正有）【課題】容器本体を容易に開口でき、収容された巻テープが誤って飛び出すことがなく、誰でも簡単確実に使用可能な投げテープ収容容器を提供する。【解決手段】容器本体内に複数の巻テープが収容されてなる投げテープ収容容器であって、容器本体２０は、開口縁に花弁状に形成された複数の蓋片部材２２を備え、蓋片部材をそれぞれ開口縁から径内方側に向かって折り返すことにより、開口を蓋片部材が塞ぐよう構成されている。さらに容器本体内において、複数の巻テープと折り返された複数の蓋片部材との間には、中心部がせり上がった凸状の蓋開け部材３０が配設され、蓋開け部材の凸状の突端部には紐部材３２が連結され、紐部材が、複数の蓋片部材の間から容器本体外へ突出するよう配設されている。投げテープ収容容器の使用準備の際には、紐部材を、容器本体から離反される方向に引張ることにより、凸状の蓋開け部材が、複数の蓋片部材を容器本体外に向かって押し広げて開口する。【選択図】図１
0003190529.tif 000002
【実用新案登録請求の範囲】
【請求項１】
容器本体内に複数の巻テープが収容されてなる投げテープ収容容器であって、
前記容器本体は、
前記容器本体の開口縁に花弁状に形成された複数の蓋片部材を備え、前記複数の蓋片部材をそれぞれ前記開口縁から径内方側に向かって折り返すことにより、前記開口を複数の蓋片部材が塞ぐよう構成されており、
さらに前記容器本体内において、前記容器本体内の複数の巻テープと前記折り返された複数の蓋片部材との間には、
中心部がせり上がった凸状の蓋開け部材が配設され、前記蓋開け部材の凸状の突端部には紐部材が連結され、前記紐部材が、折り返された複数の蓋片部材の間から前記容器本体外へ突出するよう配設されており、
前記投げテープ収容容器の使用準備の際には、
前記容器本体外に突出された前記紐部材を、前記容器本体から離反される方向に引張ることにより、前記紐部材に連結された前記凸状の蓋開け部材が、折り返された前記複数の蓋片部材を容器本体外に向かって押し広げて前記開口を開き、これにより使用準備が完了するよう構成されていることを特徴とする投げテープ収容容器。
【請求項２】
前記凸状の蓋開け部材が、円錐形であることを特徴とする請求項１に記載の投げテープ収容容器。
【請求項３】
前記紐部材が、環状紐であることを特徴とする請求項１または２に記載の投げテープ収容容器。
【請求項４】
前記容器本体および蓋開け部材の材質がボール紙であることを特徴とする請求項１〜３のいずれかに記載の投げテープ収容容器。
【考案の詳細な説明】
【技術分野】
【０００１】
本考案は、容器本体内に複数の巻テープが収容されてなる投げテープ収容容器に関する。
【背景技術】
【０００２】
従来より、円錐形の容器本体内に巻テープや紙ふぶきなどを収容しておき、容器本体内に仕込んだ火薬を爆発させて、収容した巻テープや紙ふぶきなどを容器本体外に飛び出させるクラッカーが知られている。
【０００３】
このようなクラッカーは、演出効果を高める目的で使用される場合が多く、例えば各種パーティーや宴会において好適に用いられている。
ところで、火薬の使用が禁止されていたり、爆発音などの大きな音の放出が禁止されているような場所では、このようなクラッカーは使用できない。したがってこのような場所では、火薬を使用せず、大きな音を放出させずに巻テープや紙ふぶきなどを飛び出させることのできる投げテープ収容容器が用いられる。
【０００４】
投げテープ収容容器１００は、例えば図５に示したように、キャンディを模した筒状の容器本体１１０内に複数の巻テープ１３０が収容され、容器本体１１０の開口部分は、ミシン目１１４で開口縁と連結された開き蓋１２０で封止されている。
【０００５】
なお、開き蓋１２０には把持部１２２が設けられるとともに、容器本体１１０の開口部分とは逆側には把持棒１１２が設けられている。
そして投げテープ収容容器１００の使用準備の際には、図６に示したように、把持棒１１２を一方の手で掴み、他方の手で開き蓋１２０の把持部１２２を掴んで強く引張ることにより、容器本体１１０から開き蓋１２０をちぎり取る。この際、容器本体１１０の開口縁と開き蓋１２０との間にはミシン目１１４が設けられているため、このミシン目１１４を介して、容器本体１１０から開き蓋１２０をちぎり取ることができる。
【０００６】
このようにして使用準備を終えた投げテープ収容容器１００を、実際に使用した際には、図７に示したように、把持棒１１２を掴んだ一方の手を斜め上に向けて勢い良く振ることにより、容器本体１１０内の複数の巻テープ１３０を、開口より容器本体１１０外に広がりながら飛び出させることができる（非特許文献１）。
【先行技術文献】
【非特許文献】
【０００７】
【非特許文献１】株式会社カネコ  オンラインショップホームページ、［平成２６年２月７日検索］、インターネット＜URL:http://item.rakuten.co.jp/p-kaneko/ca0095/＞
【考案の概要】
【考案が解決しようとする課題】
【０００８】
ところで、非特許文献１に開示された従来の投げテープ収容容器１００は、図８に示したように、使用準備の際において、容器本体１１０から開き蓋１２０をちぎり取るのに強い力が必要であるため、力加減によっては開き蓋１２０をちぎり取ると同時に、容器本体１１０内の巻テープ１３０が容器本体１１０外に飛び出してしまう場合が生じていた。
【０００９】
これは図９に示したように、容器本体１１０の開口が開き蓋１２０の取り外しにより、広く開いてしまうために生ずるものであり、また容器本体１１０から開き蓋１２０をちぎり取るのに強い力が必要であるために生ずるものであると考えられる。
【００１０】
本考案はこのような現状に鑑み、使用準備の際において容器本体の開口を開く際に、強い力を要しないとともに、収容された巻テープが誤って飛び出すことがなく、誰でも簡単で確実に使用することのできる投げテープ収容容器を提供することを目的とする。
【課題を解決するための手段】
【００１１】
本考案は、前述したような従来技術における問題点を解決するために考案されたものであって、
本考案の投げテープ収容容器は、
容器本体内に複数の巻テープが収容されてなる投げテープ収容容器であって、
前記容器本体は、
前記容器本体の開口縁に花弁状に形成された複数の蓋片部材を備え、前記複数の蓋片部材をそれぞれ前記開口縁から径内方側に向かって折り返すことにより、前記開口を複数の蓋片部材が塞ぐよう構成されており、
さらに前記容器本体内において、前記容器本体内の複数の巻テープと前記折り返された複数の蓋片部材との間には、
中心部がせり上がった凸状の蓋開け部材が配設され、前記蓋開け部材の凸状の突端部には紐部材が連結され、前記紐部材が、折り返された複数の蓋片部材の間から前記容器本体外へ突出するよう配設されており、
前記投げテープ収容容器の使用準備の際には、
前記容器本体外に突出された前記紐部材を、前記容器本体から離反される方向に引張ることにより、前記紐部材に連結された前記凸状の蓋開け部材が、折り返された前記複数の蓋片部材を容器本体外に向かって押し広げて前記開口を開き、これにより使用準備が完了するよう構成されていることを特徴とする。
【００１２】
このように構成すれば、紐部材を引張った際に蓋開け部材の凸状の突端部が、折り返された複数の蓋片部材を容器本体外に向かって均等に押し広げて開口を開くようにすることができ、強い力を要することなく使用準備を終えることができる。
【００１３】
したがって、容器本体内の巻テープが使用準備の際に容器本体外に誤って飛び出してしまうことを確実に防止することができる。
また、折り返された複数の蓋片部材を容器本体外に向かって押し広げて開口を開いた際には、複数の蓋片部材は折り返された元の状態に戻ろうとする復元力が働くため、複数の蓋片部材は開口いっぱいに広がった後、ある程度開口の内方に向かって蓋片部材が傾倒した状態に戻ることとなる。
【００１４】
このため、開口を開く際に万が一強い力が加わって容器本体内の巻テープが開口側に移動したとしても、傾倒した複数の蓋片部材が障害となって、開口からの巻テープの飛び出しを確実に防止することができる。
【００１５】
なお、傾倒した複数の蓋片部材は、投げテープ収容容器の実際の使用時における巻テープ投げ出しの際には、投げ出しを全て妨げてしまうほど開口を塞ぐことはないものである。したがって複数の蓋片部材が使用時における巻テープの投げ出しを妨げることはなく、確実に開口から巻テープを投げ出すことができる。
【００１６】
また、本考案の投げテープ収容容器は、
前記凸状の蓋開け部材が、円錐形であることを特徴とする。
このように円錐形であれば、確実に折り返された複数の蓋片部材を容器本体外に向かって均等に押し広げることができ、強い力を要することなく開口を開くことができる。
【００１７】
また、本考案の投げテープ収容容器は、
前記紐部材が、環状紐であることを特徴とする。
このように環状紐であれば、指を引掛けることができるため、誰でも簡単に使用することができる。
また、例えば手袋を着用していた場合でも、着用したままの状態で操作が可能であるため、確実に投げテープ収容容器を使用することができる。
【００１８】
また、本考案の投げテープ収容容器は、
前記容器本体および蓋開け部材の材質がボール紙であることを特徴とする。
【００１９】
このようにボール紙であれば、製品として必要な強度を得ることができるとともに製造コストを抑えることができ、また使用後に回収すればリサイクルを行うこともでき好ましい。
【考案の効果】
【００２０】
本考案によれば、紐部材を引いた際に蓋開け部材の凸状の突端部が、折り返された複数の蓋片部材を容器本体外に向かって均等に押し広げて開口を開くようにする構造であるため、使用準備の際において容器本体の開口を開く際に、強い力を要することなく開口を開くことができ、収容された巻テープが誤って容器本体外に飛び出すことがなく、誰でも簡単で確実に使用することのできる投げテープ収容容器を提供することができる。
【図面の簡単な説明】
【００２１】
【図１】図１は、本考案の投げテープ収容容器の斜視図である。
【図２】図２は、本考案の投げテープ収容容器において、容器本体の開口を開いた状態を示した斜視図である。
【図３】図３は、本考案の投げテープ収容容器の使用準備の工程を示した概略断面図である。
【図４】図４は、本考案の投げテープ収容容器の使用状態を示した斜視図である。
【図５】図５は、従来の投げテープ収容容器の斜視図である。
【図６】図６は、従来の投げテープ収容容器において、容器本体の開口を開いた状態を示した斜視図である。
【図７】図７は、従来の投げテープ収容容器の使用状態を示した斜視図である。
【図８】図８は、従来の投げテープ収容容器の使用状態を示した斜視図である。
【図９】図９は、従来の投げテープ収容容器の使用準備の状体を示した概略断面図である。
【考案を実施するための形態】
【００２２】
以下、本考案の実施の形態について、図面に基づいてより詳細に説明する。
本考案は、容器本体内に複数の巻テープが収容されてなる投げテープ収容容器に関するものである。
【００２３】
図１〜図４に示したように、本考案の投げテープ収容容器１０は、内部に複数の巻テープ４０が収容された容器本体２０を備え、この容器本体２０の開口縁には、花弁状に形成された複数の蓋片部材２２が備えられている。
【００２４】
複数の蓋片部材２２は、それぞれ容器本体２０の開口縁から径内方側に向かって折り返され、これにより、開口を複数の蓋片部材２２が折り重なって塞ぐように構成されている。
【００２５】
さらに容器本体２０内の複数の巻テープ４０と折り返された複数の蓋片部材２２との間には、中心部がせり上がった凸状の蓋開け部材３０が配設されている。
この蓋開け部材３０の凸状の突端部には紐部材３２が連結され、紐部材３２が、折り返された複数の蓋片部材２２の間から容器本体２０外へ突出するよう配設されている。
【００２６】
ここで凸状の蓋開け部材３０は、円錐形であることが好ましく、このような形態とすることにより、後述する投げテープ収容容器１０の使用準備の際に、折り返された複数の蓋片部材２２を強い力を要することなく、均等に押し広げて開口を開くことができる。
【００２７】
なお紐部材３２は、図２に示したように環状紐であることが好ましく、このようにすれば環状紐に指を引掛けて、引張り動作を誰でも簡単に行うことができる。
ここで容器本体２０および蓋開け部材３０の材質については特に限定されるものではないが、ボール紙であることが好ましい。このようにボール紙であれば、製品として必要な強度を得ることができるとともに製造コストを抑えることができ、また使用後に回収してリサイクルを行うこともでき好ましい。
【００２８】
このようにして構成される投げテープ収容容器１０は、使用準備に際して、図３（ａ）に示した状態において、一方の手で容器本体２０を掴むとともに、容器本体２０外に突出された紐部材３２を他方の手で掴んで、容器本体２０から離反される方向に引張ることにより、図３（ｂ）に示したように紐部材３２に連結された凸状の蓋開け部材３０が、折り返された複数の蓋片部材２２を容器本体２０外に向かって押し広げる。さらに図３（ｃ）に示したように紐部材３２を引張ることにより完全に開口を開き、これにより使用準備が完了されることとなる。
【００２９】
このため、蓋開け部材３０が折り返された複数の蓋片部材２２を容器本体２０外に向かって均等に押し広げて開口を開くようにすることができ、強い力を要することなく開口を開くことができる。
【００３０】
なお、折り返された複数の蓋片部材２２を容器本体２０外に向かって押し広げて開口を開いた際、すなわち、蓋開け部材３０が複数の蓋片部材２２を越えて完全に容器本体２０内から取り外された際には、複数の蓋片部材２２は折り返された元の状態に戻ろうとする復元力が働くこととなる。このため、複数の蓋片部材２２は開口いっぱいに広がった状態を維持することはなく、ある程度開口から内方に向かって傾倒した状態に戻ることとなる。
【００３１】
このため、開口を開く際に万が一強い力を要し、容器本体２０内の巻テープ４０が開口側に移動したとしても、傾倒した複数の蓋片部材２２が障害となって、巻テープ４０の開口からの飛び出しを確実に防止することができる。
【００３２】
なお、傾倒した複数の蓋片部材２２は、投げテープ収容容器１０の実際の使用時における巻テープ４０を投げ出す際には、投げ出しを防止するほど開口を塞いではおらず、使用時における巻テープ４０の投げ出しを妨げるものではないものである。
【００３３】
そしてこの状態で、容器本体２０を把持する一方の手を斜め上に向けて勢い良く振ることにより、図４に示したように、容器本体２０内の巻テープ４０を開口より容器本体２０外に広がりながら飛び出させることができる。
【００３４】
このように、本考案の投げテープ収容容器１０は、紐部材３２を引いた際に蓋開け部材３０の凸状の突端部が、折り返された複数の蓋片部材２２を容器本体２０外に向かって均等に押し広げて開口を開くようにする構造であるため、使用準備の際において容器本体２０の開口を開く際に、強い力を要することなく開口を開くことができ、収容された巻テープ４０が誤って容器本体２０外に飛び出すことがなく、誰でも簡単で確実に使用することができるものである。
【００３５】
以上、本考案の投げテープ収容容器１０について説明したが、本考案は上記の実施形態に限定されるものではなく、例えば本考案の投げテープ収容容器１０では容器本体２０の形態を円錐状としたがこれに限定されるものではなく、他にもボトル形状、円柱状とするなどしても良く、さらには巻テープ４０が容器本体２０の下方に連結されて使用時に散らからない形態としても良く、本考案の目的を逸脱しない範囲で種々の変更が可能なものである。
【符号の説明】
【００３６】
１０ 投げテープ収容容器
２０ 容器本体
２２ 蓋片部材
３０ 蓋開け部材
３２ 紐部材
４０ 巻テープ
１００ 投げテープ収容容器
１１０ 容器本体
１１２ 把持棒
１１４ ミシン目
１２０ 開き蓋
１２２ 把持部
１３０ 巻テープ
【図１】
0003190529.tif 000003
【図２】
0003190529.tif 000004
【図３】
0003190529.tif 000005
【図４】
0003190529.tif 000006
【図５】
0003190529.tif 000007
【図６】
0003190529.tif 000008
【図７】
0003190529.tif 000009
【図８】
0003190529.tif 000010
【図９】
0003190529.tif 000011